(57)【要約】  本発明は、一方向又は双方向の光通信の確立を可能にするように、具体的にはＬｉ−Ｆｉタイプの通信プロトコルに従って構成される遠隔通信システム（１９０）を備えるダイビングマスク（１０）に関する。この目的のために、遠隔通信システム（１９０）は、少なくとも１つの光源（１５１）と、電子制御盤（１５６）とを備える光通信モジュール（１５０）含み、電子制御盤は、振幅が電子制御盤（１５６）によってコード化された電子信号の関数として変調される光信号を発するように、少なくとも１つの光源（１５１）を制御する。本発明は、水中光通信方法（２００）にも関する。【選択図】図４
2021519237.tif 000002
【特許請求の範囲】
【請求項１】
ダイビングマスク（１０）であって、
−  バイザー（１３０、１３０ａ、１３０ｂ）を備える周辺フレーム（１１０）と、
−  可撓性スカート（１２０）であって、前記周辺フレーム（１１０）に固定され、前記周辺フレーム（１１０）及び前記バイザー（１３０、１３０ａ、１３０ｂ）とともに、ビジョンチャンバー（１７０）と呼ばれる少なくとも１つの視覚用チャンバーを形成する可撓性スカート（１２０）と、
−  デジタル信号の送信を可能にする光通信モジュール（１５０）であって、電子制御盤（１５６）と、前記電子制御盤（１５６）によってコード化された前記デジタル信号の関数として変調される光信号を発するように構成される光源（１５１）とを備える光通信システム（１５０）を含む遠隔通信システム（１９０）と、を含むダイビングマスク（１０）。
【請求項２】
前記光通信モジュール（１５０）は、密閉ボックス（１５５）に収容され、前記密閉ボックス（１５５）は前記周辺フレーム（１１０）にしっかりと固定されている、請求項１に記載のダイビングマスク（１０）。
【請求項３】
前記ボックス（１５５）は、前記光通信モジュール（１５０）をいわゆる通信の方向に向けることを可能にする関節手段（１６０）によって前記周辺フレーム（１１０）にしっかりと固定される、請求項１又は２に記載のダイビングマスク（１０）。
【請求項４】
前記関節手段（１６０）は、少なくとも１つのピボット（１６１）及び／又はボールジョイント及び／又は伸縮アームを備える、請求項１〜３に記載のダイビングマスク（１０）。
【請求項５】
前記遠隔通信システム（１９０）は、光受容器（１５２）を含み、前記遠隔通信システム（１９０）の前記光受容器（１５２）は、前記光受容器（１５２）によって受信される光信号を復調するために、前記電子制御盤（１５６）に電気的に接続される、請求項１〜４に記載のダイビングマスク（１０）。
【請求項６】
前記遠隔通信システム（１９０）は、マイク（１５７）とラウドスピーカー（１５４）とを含み、前記マイク（１５７）及び／又は前記ラウドスピーカー（１５４）は、有線接続によって前記光通信モジュール（１５０）の前記電子制御盤（１５６）に接続される、請求項１〜５に記載のダイビングマスク（１０）。
【請求項７】
前記周辺フレーム（１１０）は、呼吸チャンバー（１８０）と呼ばれる隣接する呼吸用チャンバーから前記ビジョンチャンバー（１７０）を分離する中間パーティション（１１６）を備え、前記中間パーティション（１１６）は、前記ダイビングマスク（１０）の使用者の鼻の上方に置かれるように設けられるので、前記使用者の口と鼻が前記呼吸チャンバー（１８０）に収容され、前記使用者の眼が前記ビジョンチャンバー（１７０）に収容される、請求項１〜６に記載のダイビングマスク（１０）。
【請求項８】
前記ダイビングマスク（１０）は、前記周辺フレーム（１１０）と一体の呼吸チューブ（１１５）を含み、前記呼吸チューブ（１１５）は、前記呼吸チャンバー（１８０）と流体連通している、請求項１〜７に記載のダイビングマスク（１０）。
【請求項９】
前記光通信モジュール（１５０）の少なくとも一部は、前記呼吸チャンバー（１８０）に対して前記呼吸チューブ（１１５）の一方の自由端に配置される、請求項８に記載のダイビングマスク（１０）。
【請求項１０】
前記光通信モジュール（１５０）は、前記視覚チャンバー（１７０）に対して前記呼吸チャンバー（１８０）の反対側に位置する前記周辺フレーム（１１０）の一部に収容される、請求項７又は８に記載のダイビングマスク（１０）。
【請求項１１】
水中光通信方法（２００）であって、
−  水中遠隔通信システム（１９０）のマイク（１５７）を介して音声信号を取得するステップ（２０１）と、
−  前記音声信号を光源（１５１）のデジタル制御信号にコード化するステップ（２０２）であって、前記コード化するステップは、前記水中遠隔通信システム（１９０）の電子制御盤（１５６）によって実行されるステップ（２０２）と、
−  前記デジタル制御信号の関数として変調される振幅を有する光信号を放出するために、前記光源（１５１）を制御するステップ（２０３）と、を含む水中光通信方法（２００）。
【請求項１２】
前記方法は、
−  前記水中遠隔通信システム（１９０）の光検出器（１５２）によって前記光信号を受信するステップ（２０４）と、
−  前記光信号をデコードされたデジタル信号にデコードするステップ２０５であって、前記デコードするステップは、前記水中遠隔通信システム（１９０）の前記電子制御盤（１５６）によって実行される、デコードするステップ２０５と、
−  前記水中遠隔通信システム（１９０）のラウドスピーカ（１５４）によって音声信号を生成するステップ（２０６）と、を含む、請求項１〜１１に記載の水中光通信方法（２００）。
【請求項１３】
請求項１１又は１２に記載の前記水中光通信方法のすべてのステップを実行するように構成される手段を含む水中遠隔通信システム（１９０）であって、前記手段は、請求項１から１０のいずれかに記載の少なくとも１つのダイビングマスク（１０）を含む、水中遠隔通信システム（１９０）。
【発明の詳細な説明】
【技術分野】
【０００１】
本発明の技術背景は、水中潜水装備、特に水中ダイビングマスクに関するものである。より詳細には、本発明は、シュノーケラー向けの又は自給水中呼吸装置を使用するダイビング用のダイビングマスクに関する。本発明の他の特に有利な用途は、深海探査及び水中採鉱作業といったものである。
【背景技術】
【０００２】
最先端技術は、水中での呼吸を可能にする多数の装置を開示している。第１の周知の変形例によれば、このような装置は、水ギセルを備えており、その第１端部がシュノーケラーの口と流体連通し、シュノーケラーが新鮮な空気を吸入できるように、第２端部が外気に配置されている。この第１の周知の変形例は、例えばシュノーケリング時など、水面真下での水中ダイビングに特に適している。
【０００３】
第２の周知の変形例によれば、これらの装置は、圧縮空気のタンクと、レギュレーターと、レギュレーターをシュノーケラーの口に流体的に接続して、シュノーケラーが水中で呼吸できるようにするパイプとから構成される。
【０００４】
水中で通信するために、マイクと、無線エミッター／レシーバーに関連付けられたラウドスピーカーとを備える遠隔通信システムも知られている。したがって、これらのシステムは、電波によって運ばれた信号を別の遠隔通信システムの無線レシーバーに送信するために、全方向に電波を放射することで、２人以上のシュノーケラーが１つ又は複数のチャネルで互いに通信できるようにする。
【０００５】
周知の方法では、このような遠隔通信システムは、水中での呼吸を可能にする装置に関連付けられているので、ダイビング中に水中通信を可能にする。
【０００６】
しかし、このようなシステムは、非常に扱いにくく、重くて、極端にエネルギーを消費することが多く、シュノーケラーにとってはそれらを使用するのが複雑になる。また、このようなシステムは、電波を全方向に放出するため、このような電波に対してある程度の感度を有し得る海洋動物の平穏を乱す。
【０００７】
本発明の目的は、上記の問題を少なくともかなりの程度まで解決するために、また他の利点をもたらすために、新しいダイビングマスクを提案することである
【０００８】
本発明の別の目的は、水中通信の環境への影響を低減することである。
【０００９】
本発明の別の目的は、シュノーケリング中の水中通信を容易にすることである。
【発明の概要】
【００１０】
本発明の第１の態様によれば、上記の目的の少なくとも１つは、（ｉ）バイザーを備える周辺フレームと、（ｉｉ）周辺フレームに固定され、周辺フレーム及びバイザーとともに、ビジョンチャンバーと呼ばれる少なくとも１つの視覚用チャンバーを形成する可撓性スカートと、（ｉｉｉ）デジタル信号の送信を可能にする光通信モジュールであって、電子制御盤と、電子制御盤によってコード化されたデジタル信号の関数として変調される光信号を発するように構成される光源とを備える光通信システムを含む遠隔通信システムと、を含むダイビングマスクによって達成される。
【００１１】
本発明の第１の態様によれば、光通信モジュールの光源は、実行される変調の関数として断続的に光信号を発するように構成される。断続的な光信号は、光源がこのような光信号を放出するように構成されている場合、光源によって生成される光信号が不変ではないことを意味するものであり、光信号の強度及び／又は周波数及び／又は位相は可変である。光信号の変調周波数は、有利には、数メガヘルツよりも大きい。
【００１２】
本発明の第１の態様に係るダイビングマスクの周辺フレームは、シュノーケラーの顔の少なくとも一部を取り囲み、少なくともシュノーケラーの眼を取り囲むように設計されている。バイザーは周辺フレームと一体であり、シュノーケラーに可能な限り広い視野を提供するために、周辺フレームの内部に延びている。第１の変形例によれば、バイザーは周辺フレームに挿入され、それにしっかりと固定される。第２の変形例によれば、バイザーは周辺フレームの材料に由来するので、それらはともに一体の部位を形成し、バイザー及び／又はダイビングマスクを損傷することなく互いに分離することはできない。
【００１３】
可撓性スカートは、本発明の第１の態様によるダイビングマスクと、マスクを着用時にシュノーケラーとの間に、水が浸透するのを防ぐように構成される。この目的のために、可撓性スカートは、本発明の第１の態様に係るダイビングマスクを着用しているシュノーケラーの顔に対して押し付けられ、圧縮されたままである際に、水密又は準水密シールの役割を果たす。
【００１４】
本発明の第１の態様に係るダイビングマスクをシュノーケラーの顔に対して容易に保持できるようにするために、ダイビングマスクは、例えば、バイザーの両側にあるアタッチメントの２点でダイビングマスクを接続する少なくとも１つのストラップなどの取り外し可能な取り付けシステムを有利に含むことができる。
【００１５】
したがって、本発明の第１の態様に係るダイビングマスクは、光源によって放出された光信号を受信可能な受信システムとの通信を確立するために、ダイビングマスクからデジタル信号を放出できるようにする。したがって、その第１の態様に係る本発明は、シュノーケリング中の全方向への電波の放出を制限し、同時に、２人以上のシュノーケラー間の水中通信の環境への影響を低減する。したがって、より一般的には、その第１の態様に係る本発明は、これまで使用されてきた電波放射を排除する。
【００１６】
このように、本発明の第１の態様に係るダイビングマスクは、水面下に浸されているとき、及び水面から頭を出しているときの両方で、それぞれがこのようなダイビングマスクを着用している２人のシュノーケラー間の通信を容易にする。本発明の第１の態様に係るダイビングマスクは、ダイビングマスクを取り外す必要なしに、別のシュノーケラーとの容易な通信を可能にする。
【００１７】
本発明の第１の態様に係るダイビングマスクは、有利には、上記の改善のうち少なくとも１つを含み、これらの改善を形成する技術的特徴は、個々に又は組み合わせて採用される。
−  光源によって生成された光信号は、電子制御盤によってコード化されたデジタル信号の関数として、振幅及び／又は周波数で変調される。
−  光通信モジュールは、有利には、いわゆるＬｉ−Ｆｉ（光忠実度）通信プロトコルに従ってコード化されたデジタル信号を放出及び／又は受信するように構成されるＬｉ−Ｆｉモジュールである。Ｌｉ−Ｆｉ通信プロトコルは、本発明によって網羅される可視光通信プロトコルを提供するＩＥＥＥ標準８０２．１５．７に特に記載されている。
−  光源は、その波長が人間の目に見えるスペクトル、すなわち有利には４５０ｎｍから７００ｎｍの間に位置する光信号を放出する少なくとも１つのエレクトロルミネセントダイオードを備えたタイプのものである。好ましくは、光源の発光スペクトルは、水中の動植物に対する発光の影響を制限するために、赤色及び／又は緑色の放射線に対応する波長で最大エネルギーを有する。場合により又はそれに加えて、光源の発光スペクトルは、赤外線又は近赤外線の範囲にまで及ぶ可能性もある。あるいは、光源の発光スペクトルは、排他的に又は大部分が赤外線範囲にある。有利なことに、この構成は、作動中に光通信モジュールの水中動植物への妨害を低減する。
−  光通信モジュールは、密閉ボックスに収納されており、ボックスは周辺フレームにしっかりと固定されている。好ましくは、ボックスは周辺フレームから取り外し可能である。より具体的には、ボックスは、シュノーケラーの視界を妨げないように、かつ前方を見ることができるように、ビジョンチャンバーの外側の周辺フレームに固定される。
−  ボックスは、光通信モジュールをいわゆる通信方向に向けることができる関節手段によって、周辺フレームにしっかりと固定される。この有利な構成により、シュノーケラーは、通信したい別のシュノーケラーが位置する通信方向に、通信モジュールを、より具体的には光源を向けることができる。
−  関節手段は、選択された通信方向へ光通信モジュールを容易に向けるために、少なくとも１つのピボット及び／又はボールジョイント及び／又は伸縮アームを備える。
−  遠隔通信システムは、少なくとも光通信モジュールに電気エネルギーを提供するために電池を備える。第１の変形例によれば、電池は、電子制御盤及び／又は光源の付近に、光通信モジュールのボックスに収容されている。第２の変形例によれば、電池は、好ましくは密封された、光通信モジュールを収容するボックスとは別のケースに収容され、電池は、導電体によって光通信モジュールに電気的に接続される。この有利な構成は、特に２つのシュノーケリング操作の間の電池の再充電を容易にする。
−  遠隔通信システムは、光受容器を含む。この有利な構成は、２つの遠隔通信システム間における、より具体的には本発明の第１の態様に係る２つのダイビングマスク間における双方向通信を可能にする。
−  光検出器は、有利には、光通信モジュールの光源の波長と互換性がある帯域幅の、少なくとも１つのフォトダイオードの形態を取る。
−  少なくとも１つのフォトダイオードは、好ましくは、光源の近くに収容される。つまり、少なくとも１つのフォトダイオードは、遠隔通信システムのコンパクトさを改善するために、光通信モジュールのボックスに有利に収容される。
−  遠隔通信システムの光受容器は、当該光受容器によって受信された光信号を復調するために、電子制御盤に電気的に接続される。光検出器によって受信された光信号の復調中に、電子制御盤は、電気信号、有利にはデジタル信号を生成し、このようにして、光検出器によって受信された光信号によって運ばれる情報を運ぶ。
−  遠隔通信システムは、マイクとラウドスピーカーとを備える。したがって、この有利な構成により、シュノーケラーは、例えば、本発明の第１の態様に係るダイビングマスクなどの互換性のある遠隔通信システムを備えた別のシュノーケラーと話し、各々聞くことができる。
−  マイク及び／又はラウドスピーカーは、有線接続によって光通信モジュールの電子制御盤に接続される。あるいは、マイク及び／又はラウドスピーカーは、無線接続によって光通信モジュールの電子制御盤に接続される。したがって、シュノーケラーが本発明の第１の態様に係るダイビングマスクのマイクに話しかけるとき、マイクによって生成された電気信号は、その電気信号を光源を制御するデジタル信号にコード化する電子制御盤に運ばれる。このデジタル信号に関して、光源は、変調が電子制御盤によってコード化されたデジタル信号に直接リンクされている光信号を放出するので、本発明の第１の態様に係るダイビングマスクのマイクによって録音された音声メッセージを光通信によって送信することが可能になる。同様に、本発明の第１の態様に係るダイビングマスクが、例えば、本発明の第１の態様に係る別のダイビングマスクから発生する光信号を受信すると、光通信モジュールの光検出器は、受信した光信号を、電子制御盤に送信される電気信号に変換する。電子制御盤は、その電気信号を、本発明の第１の態様に係るダイビングマスクのラウドスピーカーに転送される復調電気信号に復調することで、シュノーケラーが音声信号を聞くことができるようになる。
−  本発明の第１の態様に係るダイビングマスクの周辺フレームは、呼吸チャンバーと呼ばれる隣接する呼吸用チャンバーからビジョンチャンバーを分離する中間パーティションを備え、中間パーティションは、ダイビングマスクの使用者の鼻の上方に置かれるように設けられるので、使用者の口と鼻が呼吸チャンバーに収容され、使用者の眼がビジョンチャンバーに収容される。有利なことに、中間パーティションと可撓性スカートは一体を成す。
−  本発明の第１の態様に係るダイビングマスクは、周辺フレームと一体の呼吸チューブを含み、呼吸チューブは、呼吸チャンバーと流体連通している。この有利な構成により、シュノーケラーは呼吸可能になり、呼吸チューブの一端は、自由端であって、シュノーケラーが本発明の第１の態様に係るダイビングマスクを着用しているときに、水の外側にあるように設計されている。呼吸チューブの一方の下端は、有利には、呼吸チューブの自由端と呼吸チャンバーとの間で空気を自由に循環させるように、呼吸チャンバーと流体連通している。
−  有利なことに、周辺フレーム及び呼吸チューブは一体であり、例えば成形によって、単一の製造プロセスから生じる単一部品をともに形成する。この有利な構成は、ダイビングマスク、特に周辺フレームの製造を平易にする。あるいは、呼吸チューブは、本発明の第１の態様に係るダイビングマスクに、より具体的には、周辺フレームに取り外し可能に固定される。
−  第１の変形例によると、光通信モジュールの少なくとも一部は、呼吸チャンバーに対して呼吸チューブの一方の自由端に配置される。この有利な構成により、シュノーケラーの顔に対して、光通信モジュールを離して配置することができるので、シュノーケラーの顔が生成された光線の放出を遮断するのを防止することによって、使用の快適さを向上し、光通信も改善する。特に、好ましくは、光通信モジュールの光源だけが呼吸チャンバーに対して呼吸チューブの一方の自由端に配置される。有利なことに、単一のボックスに収容される光通信モジュール全体が、呼吸チューブの自由端にしっかりと固定される。好ましくは、光通信モジュールは、取り外し可能に呼吸チューブの自由端に固定される。
−  第２の変形例によると、光通信モジュールは、ビジョンチャンバーに対して呼吸チャンバーの反対側に位置する周辺フレームの一部に収容される。つまり、光通信モジュールは、本発明の第１の態様に係るダイビングマスクを通してアクセス可能な視角を減少させないように、呼吸チャンバーに対して周辺フレームのバイザーの上方に有利に配置される。
【００１８】
本発明の第２の態様によれば、
−  水中遠隔通信システムのマイクを介して音声信号を取得するステップと、
−  音声信号を光源のデジタル制御信号にコード化するステップであって、コード化するステップは、水中遠隔通信システムの電子制御盤によって実行されるステップと、
−  デジタル制御信号の関数として変調される振幅を有する光信号を放出するために、光源を制御するステップと、を含む水中光通信方法が提供される。
【００１９】
場合により、本発明の第２の態様に係る水中光通信方法は、有利には、
−  水中遠隔通信システムの光検出器によって光信号を受信するステップと、
−  光信号をデコードされたデジタル信号にデコードするステップであって、デコードするステップは、水中遠隔通信システムの電子制御盤によって実行されるステップと、
−  水中遠隔通信システムのラウドスピーカーによって音声信号を生成するステップと、を含む。
【００２０】
−  光信号を受信する、及び／又は音声信号をデコードする及び／又は生成するステップは、音声信号を取得する、及び／又は光源をコード化する及び／又は制御するステップの前に、集合的又は個別に実行することができる。
【００２１】
したがって、光通信方法は、口頭情報を運ぶ光信号を放出及び／又は受信することによって、一方向又は双方向の通信の確立を可能にする。光通信方式は、特に水中通信に適しており、簡単な長距離通信を可能にする。
【００２２】
本発明の第３の態様によれば、本発明の第２の態様に係る光通信方法のすべてのステップを実施するように構成される手段を含む水中遠隔通信システムが提案される。好ましくは、本発明の第３の態様に係る水中遠隔通信システムの手段は、本発明の第１の態様又はその改良のいずれかに係る少なくとも１つのダイビングマスク、好ましくは、本発明の第１の態様又はその改良のいずれかに係る２つのダイビングマスクを含む。
【００２３】
本発明の様々な実施形態は、それらの可能なすべての組み合わせに従って、本明細書に記載されている異なる任意の特性を統合することを想定されている。
【図面の簡単な説明】
【００２４】
本発明のさらなる特徴及び利点は、一方では以下の説明から、及び他方では添付の図面を参照して非限定的な例として与えられたいくつかの実施形態から明らかになるであろう。
【００２５】
【図１】図１は、本発明の第１の態様に係るダイビングマスクの第１の実施形態を示す。
【図２】図２は、本発明の第１の態様に係るダイビングマスクの第２の実施形態を示す。
【図３】図３は、本発明の第１の態様に係るダイビングマスクの第３の実施形態を示す。
【図４】図４は、本発明の第１の態様に係るダイビングマスクの第４の実施形態を示す。
【図５】図５は、本発明の第２の態様に係る水中光通信方法の実施形態を示す。
【００２６】
明らかに、本発明の特徴、変形及び異なる実施形態は、それらが互いに非互換性又は排他的でない限り、様々な組み合わせで互いに関連付けることができる。特に、記載されている他の特性から分離した形で以下に記載されている特性の選択のみを含む本発明の変形は、特性のこの選択が技術的利点を与える、若しくは技術の従来の状態に関して本発明を区別するのに十分である場合に想定され得る。
【００２７】
特に、すべての変形及び説明されているすべての実施形態は、技術的な観点からこの組み合わせに対する障害が何もなければ、組み合わせ可能である
【００２８】
図において、同じ参照番号は、いくつかの図に共通する要素を示すのに使用される。
【発明を実施するための形態】
【００２９】
図１〜４を参照すると、その第１の態様に係る本発明は、（ｉ）バイザー１３０、１３０ａ、１３０ｂを備える周辺フレーム１１０と、（ｉｉ）周辺フレーム１１０に固定された可撓性スカート１２０であって、周辺フレーム１１０及びバイザー１３０、１３０ａ、１３０ｂとともに、ビジョンチャンバー１７０と呼ばれる少なくとも１つのビジョン用チャンバーを形成する可撓性スカート１２０と、（ｉｉｉ）デジタル信号の送信を可能にする光通信モジュール１５０を含む遠隔通信システム１９０であって、光通信モジュール１５０は、電子制御盤１５６と、電子制御盤１５６によってコード化されたデジタル信号の関数として変調される光信号を放出するよう構成される光源１５１とを備える、遠隔通信システム１９０と、を備えるダイビングマスク１０に関する。
【００３０】
このように、その第１の態様に係る本発明は、多数の形態をとることができ、そのいくつかの実施形態が図１〜４に示されているダイビングマスク１０に関する。本発明の第１の態様に係るダイビングマスク１０の第１の可能な使用によれば、ダイビングマスク１０は、深海潜水及び／又は数十分の潜水時に適しており、ダイビングマスク１０は、圧縮空気貯蔵装置と組み合わせて使用可能である。第２の可能な使用によれば、本発明の第１の態様に係るダイビングマスク１０は、特に水中での釣り又はスキューバタンクを使用せずに海底の探査を練習するために、海や自然の貯水池などの自然環境で、又は人工の入り江で、水面近くで泳ぐことを可能にする。
【００３１】
一般に、本発明の第１の態様に係るダイビングマスク１０は、シュノーケリング中に眼を開いたままにできるように、少なくとも着用者の眼を保護するマスクである。このようなダイビングマスク１０（部分マスクと呼ばれる）は、特に図１〜３を参照して説明される。これらの変形例では、ダイビングマスク１１０の周辺フレーム１１０は、着用者の眼を囲むように、着用者の顔の上部の周辺に延在する。周辺フレーム１１０は、有利には、着用者の鼻の上に載るように設計されたブリッジ１１５を備える。
【００３２】
場合により、本発明の第１の態様に係るダイビングマスク１０は、着用者が水から外に頭を出す必要なく呼吸できるようにもする。この目的のため、及び図４の実施形態に示されるように、ダイビングマスク（フルマスクと呼ばれる）は、呼吸チューブ１１５を含む。本発明は、呼吸チューブ１１５に言及する場合、特に、限定するものではないが、周辺フレーム１１０に対して開口した遠位末端を有するシュノーケル、又はダイビングマスク１０の着用者によって運ばれる圧縮空気源に接続されたフレキシブルチューブを意味する。
【００３３】
部分ダイビングマスク１０又はフルダイビングマスク１０の場合、周辺フレームは、バイザー１３０、１３０ａ、１３０ｂがダイビングマスク１０の着用者の眼の正面に配置されるようにする。一般的に言えば、バイザー１３０、１３０ａ、１３０ｂは、ダイビングマスク１０の着用者が見ることができる透明又は半透明の顔面スクリーンの形をとる。
【００３４】
図１及び４に示される第１の変形例によれば、周辺フレーム１１０は、周辺フレームの一端から他端まで延びる単一のバイザー１３０を備え、バイザー１３０は、着用者の眼の前に延びる。図２及び３に示される第２の変形によれば、ダイビングマスク１０は、着用者の一方の眼の前のみに延びる２つのバイザー１３０ａ、１３０ｂを備える。この変形例では、周辺フレームは、対応する各バイザー１３０ａ、１３０ｂを取り囲むように構成される周辺部１１ａ、１１ｂを備える。つまり、第１バイザー１３０ａに関連する周辺部１１１ａは、閉じた輪郭をたどる第１バイザー１３０ａの周りに延び、第２バイザー１３０ｂに関連する周辺部１１１ｂは、閉じた輪郭をたどる第２バイザー１３０ｂの周りに延びる。
【００３５】
有利には、バイザー１３０、１３０ａ、１３０ｂは、場合によっては取り外し可能に周辺フレーム１１０又は周辺部１１ａ、１１ｂにしっかりと固定される。別の変形例によれば、ダイビングマスク１０のバイザー１３０、１３０ａ、１３０ｂは、周辺フレーム１１０と同じ材料に由来する。
【００３６】
有利には、本発明の第１の態様に係るダイビングマスクの周辺フレーム１１０及び／又はバイザー１３０は、プラスチック材料から形成される。有利には、製造コストを削減するために、周辺フレーム１１０及び／又はバイザー１３０は、成形又は押出などの製造方法によって得られる。
【００３７】
本発明の第１の態様に係るダイビングマスク１０の着用者の顔に対して快適かつ十分に密閉した形で設置するために、ダイビングマスク１０の可撓性スカート１２０は、周辺フレーム１１０の周りに延在し、使用者の顔に当たるように設計される。つまり、可撓性スカート１２０は、着用者の顔に当たるダイビングマスク１０の表面に沿って配置される。可撓性スカート１２０は、周辺フレームよりも変形しやすい材料から作られているため、可撓性があると言われる。
【００３８】
非限定的な例として、可撓性スカート１２０は、シリコンから作ることができる。
【００３９】
図２及び３に示す例では、可撓性スカート１２０は、ダイビングマスク１０の着用者の鼻を覆って保護するために、周辺フレーム１１０の２つの周辺部１１ａ、１１ｂの間にさらに延びる。
【００４０】
着用者の顔の所定の位置に保持させるために、本発明の第１の態様に係るダイビングマスク１０は、有利には、図１及び２に示すように、周辺フレーム１１０の２つの対向する側端部を接続する少なくとも１つのストラップの形態をとる少なくとも１つの取り外し可能な取り付けシステム１４０を備える。
【００４１】
引き続いて、ダイビングマスク１１０は、バイザー１３０、１３０ａ、１３０ｂ、周辺フレーム１１０及び可撓性スカート１２０によって区切られた少なくとも１つのビジョンチャンバー１７０を画定する。したがって、ビジョンチャンバー１７０は、ダイビングマスク１１０とその着用者の顔との間にある空気容量を成し、ダイビングマスク１０の使用の快適さに役立つ。部分ダイビングマスク１０の場合、ビジョンチャンバー１７０は、周辺フレーム１１０によって区切られ、顔の中央まで、着用者の鼻と口の間に延びる。図２及び３に示される実施形態では、ダイビングマスクは、２つのビジョンチャンバー１７０を含んでおり、各ビジョンチャンバー１７０は、着用者の眼の１つに対向する。場合により、ビジョンチャンバー１７０は互いに独立しており、周辺フレーム１１０の点１１５に位置する中央壁によって分離されている。図１に示される実施形態では、ダイビングマスク１０は、単一のビジョンチャンバー１７０を含む。
【００４２】
場合により、及び図４に示すように、ダイビングマスク１０の周辺フレーム１１０は、ビジョンチャンバー１７０を呼吸チャンバー１８０から隔てる中間パーティション１１６を含む。呼吸チャンバー１８０は、ビジョンチャンバー１７０に隣接している。より具体的には、呼吸チャンバー１８０は、ビジョンチャンバー１７０の下方に位置しており、ダイビングマスク１０を装着した着用者の口及び／又は鼻孔の周りに延びる。この目的のために、周辺フレーム１１０の中間パーティション１１６は、ダイビングマスク１０の着用者の鼻に当たるように配置され、一方、周辺フレーム１１０の下端は、着用者の顎の周り、顎の真下にまで延びる。したがって、この有利な構成により、着用者の口と鼻を呼吸チャンバー１８０に収容することができ、着用者の眼はビジョンチャンバー１７０に収容される。
【００４３】
図４の実施形態に示されるように、ビジョンチャンバー１７０は、中間パーティション１１６に配置されたバルブ１７５によって呼吸チャンバー１８０と流体連通している。この有利な構成により、マスク１０が着用されている間、バイザー１７０における結露の形成が制限される。
【００４４】
図４に示す実施形態では、ダイビングマスク１０は、周辺フレーム１１０と一体の呼吸チューブ１１５を含む。変形例によれば、呼吸チューブ１１５は、周辺フレーム１１０の材料に由来するので、呼吸チューブ１１５及び周辺フレーム１１０は、ともに一体の部位を形成し、それらのうち１つを損傷することなく互いに分離することができない。別の変形例によれば、呼吸チューブ１１５は、例えばクリック嵌合などによる一時的な固定手段を用いて、周辺フレーム１１０にしっかりと取り外し可能に固定される。
【００４５】
呼吸チューブ１１５は、呼吸チャンバー１８０と流体連通している。この目的のために、周辺フレーム１１０は、周辺フレーム１１０と係合する呼吸チューブ１１５の一端から、呼吸チャンバー１８０に位置する周辺フレーム１１０の開口部まで延びる少なくとも１つの流体管を収容する。
【００４６】
図４に示す実施形態では、呼吸チューブ１１５は、ダイビングマスク１０の上部に収容されるシュノーケルの形をとる。明らかに、本発明はまた、例えばダイビングマスク１０の側端に配置される呼吸チューブ１１５、又はダイビングで使用されるようなレギュレーター用ダイビングマスク１０に対する前側接続部などの呼吸チューブ１１５の他の構成を含み、前側接続部は、呼吸チャンバー１８０に位置し、ダイビングマスク１０の着用者の口の近くにあり、呼吸チャンバー１８０にて占められる周辺フレーム１１０及び／又はバイザー１３０を通る。
【００４７】
本発明によれば、ダイビングマスク１０は、２人以上のシュノーケラー間における水中通信の確立を可能にするために、前述のような遠隔通信システム１９０を含む。図１乃至４は、以下の段落で詳細に説明される遠隔通信システム１９０の異なる構成を示している。
【００４８】
図１に示す例では、遠隔通信システム１９０は、ダイビングマスク１０のバイザー１３０の上部に配置される密閉ボックス１５５に統合されている。場合により、ボックス１５５は、周辺フレーム１１０の材料に由来する。つまり、有利には、遠隔通信システム１９０は、周辺フレーム１１０のハウジング内に収容可能であり、ハウジングは、遠隔通信システム１９０のボックス１５５を形成する。
【００４９】
変形例によれば、ボックス１５５は、ダイビングマスク１０の周辺フレーム１１０とバイザー１２０との間に収容されるので、バイザー１２０は、遠隔通信システム１９０を完全に覆うため、その密閉を保証する。別の変形例によれば、遠隔通信システム１９０を収容するボックス１５５は、ダイビングマスク１０のビジョンチャンバー１３０の外側で、ダイビングマスク１０のバイザー１２０の前方に配置される。
【００５０】
図１に示す実施形態では、遠隔通信システム１９０は、ボックス１５５に収容される光通信モジュール１５０を含み、かつ３つの光源１５１と光検出器１５２とを含む。３つの光源１５１は、有利には、異なる通信方向に向けられており、第１光源１５１は、好ましくは、ダイビングマスク１０の右側に向けられ、第２光源１５１は、好ましくは、ダイビングマスク１０の左側に向けられ、第３光源１５１は、好ましくは、ダイビングマスク１０の前方に向けられている。この有利な構成は、遠隔通信システム１９０が光信号を発することができる立体角を増加させる。
【００５１】
光源１５１は、電子信号の関数として光源によって放出される光信号を変調するために、電子制御盤１５５に電気的に接続され、光検出器１５２は、光検出器１５２によって検出された光信号を電子信号に復調するために、電子制御盤１５６に電気的に接続される。この有利な構成により、双方向光通信の確立が可能になり、遠隔通信システム１９０は、例えば振幅で、光源１５１によって放出され、それぞれ光検出器１５２によって受信される変調光信号を介して、デジタルデータを放出及び受信できるように構成される。通信プロトコルは、有利には、前述のようにＬｉ−Ｆｉタイプのものである。
【００５２】
図２に示す例では、遠隔通信システム１９０は、周辺フレーム１１０の上に配置される密閉ボックス１５５に統合され、遠隔通信システム１９０は、ボックス１５５を形成する周辺フレーム１１０に収容される。
【００５３】
図２に示す実施形態では、遠隔通信システム１９０は、ボックス１５５に収容される光通信モジュール１５０を含み、かつ単一の光源１５１と単一の光検出器１５２とを含む。光検出器１５２の検出の立体角は、少なくとも部分的に、好ましくは完全に、光源１５１の放射の立体角と重なる。
【００５４】
図２に示される光通信モジュール１５０の光源１５１は、電子信号の関数として光源によって放出される光信号を変調するために、電子制御盤１５５に電気的に接続され、光検出器１５２は、光検出器１５２によって検出された光信号を電子信号に復調するために、電子制御盤１５５に電気的に接続される。この有利な構成により、双方向光通信の確立が可能になり、遠隔通信システム１９０は、例えば振幅で、光源１５１によって放出され、それぞれ光検出器１５２によって受信される変調光信号を介して、デジタルデータを放出及び受信できるように構成される。通信プロトコルは、有利には、前述したようにＬｉ−Ｆｉタイプのものである。
【００５５】
図２に示す実施形態では、遠隔通信システム１９０は、ダイビングマスク１０の周辺フレーム１１０の側端に配置される２つのラウドスピーカー１５４も備える。光検出器１５２によって受信された光信号を、ダイビングマスク１０の着用者が聞くことができる音声信号に変換するために、各ラウドスピーカーは、電子制御盤１５６に電気的に接続される。
【００５６】
また、図２に示されるダイビングマスク１０は、例えば、光源１５１及び／又はラウドスピーカー１５４及び／又は光受容器１５２を制御するために、制御ボタン１５３ａ、１５３ｂを備える。
【００５７】
図３に示す実施形態では、遠隔通信システム１９０の光通信モジュール１５０は、光通信モジュール１５０を特定の通信方向に向けるための関節手段１６０によってダイビングマスク１０の周辺フレーム１１０にしっかりと固定されたボックス１５５に収容される。ここで、関節手段１６０は、光通信モジュール１５０を少なくとも１つの回転軸の周りで旋回させるために、ボールジョイント及び／又はピボット１６１の形態をとる。図３に示す実施形態では、関節手段は、周辺フレーム１１０及び／又は着用者の頭に対して光通信モジュール１５０を持ち上げるために、及び選択された通信方向に光通信モジュール１５０を容易に方向付けするために、場合により伸縮自在のアーム１６２も備える。
【００５８】
図４に示す実施形態では、光通信モジュール１５０は、ダイビングマスク１０の着用者の頭及び／又は身体によって妨げられないように、呼吸チューブ１１５の自由端に収容される。より具体的には、光源１５１及び光検出器１５２は、呼吸チューブ１１５の前面に配置される。
【００５９】
図４に示されるダイビングマスク１０はまた、呼吸チャンバー１８０の領域に配置されるマイク１５７を備える。より具体的には、マイク１５７は、ダイビングマスク１０の着用者の口の近く、又は反対側にさえ配置される。有利には、マイク１５７は、バイザー１３０又はダイビングマスク１０の周辺フレーム１１０上に固定される。
【００６０】
図４に示されるダイビングマスク１０はまた、イヤホンの形態をとる２つのラウドスピーカー１５４を備える。
【００６１】
図４に示す実施形態では、ラウドスピーカー１５４、マイク１５７、光源１５１、及び光検出器１５２は、前述のように双方向通信の確立を可能にするために、好ましくは有線接続によって、電子制御盤１５６に電気的に接続される。
【００６２】
前述のように、及び図１〜４に示す実施形態のそれぞれについて、光通信モジュール１５０の各光源１５１は、有利には、４５０ｎｍ〜７００ｎｍの波長の光信号を放出するように構成される１つ又は複数のエレクトロルミネセントダイオードを含む。  
【００６３】
前述のように、及び図１〜４に示す実施形態のそれぞれについて、光検出器１５２は、光通信モジュール１５０の光源１５１の波長を含むスペクトル範囲を有するフォトダイオードタイプのものである。
【００６４】
最後に、遠隔通信システム１９０は、有利には、図１〜４に示されていないエネルギー源を備えており、それは、例えば、ダイビングマスク１０に取り付けられたバッテリーの形態をとることができる。
【００６５】
図５は、本発明の第２の態様に係る水中光通信の方法２００の実施形態を示している。このような水中光通信の方法２００は、本発明の第１の態様に係るダイビングマスク１０によって、及び図１〜４を参照して先に説明したように、有利に実施可能である。
水中光通信の方法２００は、
−  遠隔通信システム１９０のマイク１５７を介して音声信号を取得するステップ２０１と、
−  音声信号を光源１５１のデジタル制御信号にコード化するステップ２０２であって、コード化するステップは、遠隔通信システム１９０の電子制御盤１５６によって実行されるステップ２０２と、
−  デジタル制御信号の関数として変調される振幅を有し、好ましくはＬｉ−Ｆｉ通信プロトコルに従って光信号を放出するために、光源１５１を制御するステップ２０３と、
−  遠隔通信システム１９０の光検出器１５２によって受信される光信号のステップ２０４と、
−  光信号をデコードされたデジタル信号にデコードするステップ２０５であって、デコードステップは、遠隔通信システム１９０の電子制御盤１５６によって実行されるステップ２０５と、
−  遠隔通信システム１９０の１つ又は複数のラウドスピーカー１５４によって生成される音声信号のステップ２０６と、を含む。
【００６６】
要約すると、本発明は、一方向又は双方向の光通信の確立を可能にするように、より具体的にはＬｉ−Ｆｉタイプの通信プロトコルに従って構成される遠隔通信システム１９０を備えるダイビングマスク１０に関する。この目的のために、遠隔通信システム１９０は、少なくとも１つの光源１５１と、電子制御盤１５６とを備える光通信モジュール１５０を含み、電子制御盤１５６は、振幅が電子制御盤１５６によってコード化された電子信号の関数として変調される光信号を発するように、少なくとも１つの光源１５１を制御する。
【００６７】
明らかに、本発明は、これまで説明された実施形態に限定されず、本発明の範囲から逸脱することなく、これらの実施形態に多く適応させることが可能である。特に、本発明の異なる特徴、形態、変形及び実施形態は、それらが互いに非互換性又は排他的でない限り、様々な組み合わせに従って互いに関連付けることができる。特に、上記の変形及び実施形態のすべて一緒に組み合わせることができる。
【図１】
2021519237.tif 000003
【図２】
2021519237.tif 000004
【図３】
2021519237.tif 000005
【図４】
2021519237.tif 000006
【図５】
2021519237.tif 000007
【国際調査報告】
2021519237.tif 000008
2021519237.tif 000009
2021519237.tif 000010
2021519237.tif 000011
2021519237.tif 000012
2021519237.tif 000013